(57)【特許請求の範囲】
【請求項１】
隣接するパネルを連結支柱によって相互に連結するようにしたパネルの連結構造であって、
上記隣接するパネルが矩形状をなす第１、第２のパネル（１０、２０）からなり、上記第１のパネル（１０）は側方端縁が平面コ字状の凹溝（１０Ａ）が形成され、該凹溝（１０Ａ）内に磁石板（１０Ｂ）又は金属板が固定され、連結支柱（３０）の前半部（３０Ａ）は平面コ字状をなし、該前半部（３０Ａ）が上記凹溝（１０Ａ）に嵌入され、上記第２のパネル（２０）は係止具（２０Ｂ）が側方端縁に出没可能に設けられ、上記連結支柱（３０）は前半部（３０Ａ）と多角柱状の後半部（３０Ｂ）とからなり、上記前半部（３０Ａ）の側方端縁には磁石板（３０Ｄ）又は金属板が固定され、上記後半部（３０Ｂ）には多角形の複数の各側面に長溝（３０Ｃ）が長手方向に延びて形成されており、
上記第１のパネル（１０）はその側方端縁の磁石板（１０Ｂ）又は金属板と上記連結支柱（３０）の前半部（３０Ａ）の磁石板（３０Ｄ）又は金属板との磁着によって上記連結支柱（３０）の前半部（３０Ａ）に連結され、上記第２のパネル（２０）はその係止具（２０Ｂ）が側方端縁から突出されて上記連結支柱（３０）の後半部（３０Ｂ）のいずれかの長溝（３０Ｃ）に嵌入されて上記連結支柱（３０）の後半部（３０Ｂ）に連結されることによって、上記第１のパネル（１０）と第２のパネル（２０）は相互に所望の角度をなして連結されるようになっていることを特徴とするパネルの連結構造。
【請求項２】
隣接するパネルを相互に連結する連結構造において用いられる連結支柱であって、
平面コ字状の前半部（３０Ａ）と多角柱状の後半部（３０Ｂ）とからなり、上記前半部（３０Ａ）の平面コ字状内面には磁石板（３０Ｄ）又は金属板が固定され、上記後半部（３０Ｂ）には多角形の複数の各側面に長溝（３０Ｃ）が長手方向に延びて形成され、
上記前半部（３０Ａ）に第１のパネル（１０）の側方端縁が嵌合されて該側方端縁の磁石板（１０Ｂ）又は金属板とコ字状前半部（３０Ａ）内面の磁石板（３０Ｄ）又は金属板とが磁着され、上記後半部（３０Ｂ）のいずれかの長溝（３０Ｃ）に第２のパネル（２０）の側方端縁から係止具（２０Ｂ）を突出させて嵌入させることによって、上記第１のパネル（１０）と第２のパネル（２０）を相互に所望の角度をなして連結するようになしたことを特徴とするパネルの連結支柱。
【請求項３】
上記後半部（３０Ｂ）が平面変形六角形状をなし、六角形のうちの五つの側面に長溝（３０Ｃ）が形成されている請求項２記載のパネルの連結支柱。
【請求項４】
上記後半部（３０Ｂ）の横幅Ｗが第１、第２のパネル（１０、２０）の厚み以下の寸法である請求項２記載のパネルの連結支柱。
【発明の詳細な説明】
【技術分野】
【０００１】
この発明はパネルの連結構造に関し、特に隣接するパネルを所望の角度をなして連結でき、しかも突起を小さくできるようにした構造に関する。
【背景技術】
【０００２】
見本市会場や展示会場などの各種イベント会場では合板などの表面を塗装し織布や装飾紙を貼り付けた間仕切りパネルを多数使用し、釘などを用いてブースを設営することが行われている。
【０００３】
ところで、複数のパネルを併設するにあたり、パネルの側部凹溝の底面と支柱とを磁石板で磁着する一方、支柱の上端開口に連結具の連結支柱を差し込み、連結具の差込みピンをパネルの上側隅部の補強具のピン差込み穴に差し込んで支柱とパネルとを連結するように構成したパネルの連結構造が提案されている（特許文献１）。
【０００４】
この連結構造では併設された複数のパネルが平坦な面を構成し、突起が少ないので、例えば大きなポスターを貼っても違和感が少ないが、パネルを任意の角度で併設することはできない。
【０００５】
これに対し、多角形状、例えば八角形状の支柱の複数の側面に蟻溝を長手方向に延びて形成し、蟻溝にパネル側面から突出させた連結具を差し込んで支柱とパネルとを連結する方式が提案されている（商品名：オクタノルムシステム、特許文献２）。
【先行技術文献】
【特許文献】
【０００６】
【特許文献１】実用新案登録第３１５１０２２号公報
【特許文献２】特開２０１２−１３６８７０号公報
【発明の開示】
【発明が解決しようとする課題】
【０００７】
しかし、特許文献２記載のパネルの連結構造ではパネルを所望の角度で連結できるものの、パネルを真っ直ぐに並べると、多角形状の支柱がパネル表面から大きく突出し、大きなポスターを貼ると、違和感があって見本市会場や展示会場などの各種イベント会場では採用しにくいことがあった。
【０００８】
本発明はかかる問題点に鑑み、隣接するパネルを所望の角度をなして連結でき、しかもパネル表面からの突起を小さくできるようにしたパネルの連結構造を提供することを課題とする。
【課題を解決するための手段】
【０００９】
そこで、本発明に係るパネルの連結構造は、隣接するパネルを連結支柱によって相互に連結するようにしたパネルの連結構造であって、上記隣接するパネルが矩形状をなす第１、第２のパネルからなり、上記第１のパネルは側方端縁に磁石板又は金属板が取付けられ、上記第２のパネルは係止具が側方端縁に出没可能に設けられ、上記連結支柱は前半部と多角柱状の後半部とからなり、上記前半部の側方端縁内面には磁石板又は金属板が固定され、上記後半部には多角形の複数の各側面に長溝が長手方向に延びて形成されており、上記第１のパネルはその側方端縁の磁石板又は金属板と上記連結支柱の前半部の磁石板又は金属板との磁着によって上記連結支柱の前半部に連結され、上記第２のパネルはその係止具が側方端縁から突出されて上記連結支柱の後半部のいずれかの長溝に嵌入されて上記連結支柱の後半部に連結されることによって、上記第１のパネルと第２のパネルは相互に所望の角度をなして連結されるようになっていることを特徴とする。
【００１０】
本発明の特徴の１つは連結支柱の前半部を平面コ字状に、後半部を多角柱状とし、前半部の平面コ字状の内面に磁石板又は金属板を取付け、第１のパネルの側縁に磁石板又は金属板を取付ける一方、連結支柱の後半部の多角形の複数の各側面に蟻溝状の長溝を長手方向に延びて形成し、第２のパネルの側縁に係止具を出没可能に設け、第１のパネルと連結支柱とを磁着させ、第２のパネルと連結支柱とは係止具を長溝に嵌入させることによって第１、第２のパネルを相互に連結するようにした点にある。
【００１１】
これにより、連結支柱の後半部の長溝を選択することによって、第１、第２のパネルを相互に任意の角度でもって連結できる。また、連結支柱の横幅を第１、第２のパネルの厚み以下の寸法に設定することができ、第１、第２のパネルを真っ直ぐに併設したときに連結支柱がパネル表面から突出せず、大きなポスターを貼っても違和感がなく、見本市会場や展示会場などの各種イベント会場において最適である。
【００１２】
第１のパネルの側方端縁は平坦であってもよいが、連結支柱の前半部との確実な連結性を考慮すると、第１のパネルの側方端縁には平面コ字状の凹溝を形成し、凹溝内に磁石板又は金属板を固定する一方、連結支柱の前半部は平面コ字状となし、該前半部を凹溝に嵌入させるようにするのがよい。
【００１３】
また、上述の連結支柱も斬新である。本発明に係るパネルの連結支柱は、隣接するパネルを相互に連結する連結構造において用いられる連結支柱であって、平面コ字状の前半部と多角柱状の後半部とからなり、上記前半部の平面コ字状内面には磁石板又は金属板が固定され、上記後半部には多角形の複数の各側面に長溝が長手方向に延びて形成され、上記前半部に第１のパネルの側方端縁が嵌合されて該側方端縁の磁石板又は金属板とコ字状前半部内面の磁石板又は金属板とが磁着され、上記後半部のいずれかの長溝に第２のパネルの側方端縁から係止具を突出させて嵌入させることによって、上記第１のパネルと第２のパネルを相互に所望の角度をなして連結するようになしたことを特徴とする。
【００１４】
連結支柱の後半部は多角柱状であればよいが、横幅がパネルの厚み以下であることを考慮すると、後半部と平面変形六角形状となし、六角形のうちの五つ側面に長溝を形成するのがよい。
【図面の簡単な説明】
【００１５】
【図１】本発明に係るパネルの連結構造の好ましい実施形態を示す図である。
【図２】上記実施形態における連結支柱を示す図である。
【図３】上記実施形態における第１のパネルを示す図である。
【図４】上記実施形態における第２のパネルを示す図である。
【発明を実施するための形態】
【００１６】
以下、本発明を具体例に基づいて詳細に説明する。図１ないし図４は本発明に係るパネルの連結構造の好ましい実施形態を示す。図において、第１、第２のパネル１０、２０は寸法的には高さ２７００ｍｍ×幅１０００ｍｍ、高さ２５００ｍｍ×幅１０００ｍｍ、高さ２４００ｍｍ×幅１０００ｍｍ、高さ２１００ｍｍ×幅９００ｍｍ、高さ１８００ｍｍ×幅９００ｍｍ、等がある。
【００１７】
第１のパネル１０は図３に示されるように、矩形状に製作され、第１のパネル１０の両側方端縁には凹溝１０Ａが長手方向全長に延びて形成され、凹溝１０Ａの内面には磁石板１０Ｂが間隔をあけて固定されている。
【００１８】
また、第２のパネル２０は第４に示されるように、矩形状に製作され、第２のパネル２０の側方端縁には係止具２０Ｂが横方向にスライドされて側方端縁に出没自在に設けられている。
【００１９】
この第１、第２のパネル１０、２０は連結支柱３０によって連結されるようになっている。連結支柱３０は図２に示されるように、平面コ字状の前半部３０Ａと平面変形六角柱上記後半部３０Ｂとからなり、前半部３０Ａの側方端縁には磁石板３０Ｄが長手方向に間隔をあけて固定され、後半部３０Ｂには六角形のうちの５角形の各側面に長溝３０Ｃが長手方向に延びて形成されている。
【００２０】
また、後半部３０Ｂの横幅Ｗは第１、第２のパネル１０、２０の厚みと実質的に等しく、連結支柱３０の前半部３０Ａは第１のパネル１０の凹溝１０Ａに嵌入し得る横幅に形成されている。
【００２１】
第１、第２のパネル１０、２０を連結する場合、第１のパネル１０の側方端縁の凹溝１０Ａ内に連結支柱３０の前半部３０Ａを嵌入し、凹溝１０Ａ底面の磁石板１０Ｂと前半部３０Ａの磁石板３０Ｄを磁着させると、第１のパネル１０と連結支柱３０の前半部３０Ａとを相互に連結することができる。
【００２２】
また、第２のパネル２０の側方端縁の係止具２０Ｂを突出させ、連結支柱３０の後半部３０Ｂの５つのうちから所望の長溝３０Ｃを選び、突出させた係止具２０Ｂを嵌入させると、第２のパネル２０と連結支柱３０の後半部３０Ｂとを相互に連結することができる。その結果、第１のパネル１０と第２のパネル２０は相互に所望の角度をもって連結することができる。
【００２３】
なお、上記の例では通常のパネル、例えば間仕切りパネルなどの連結構造について説明したが、表示パネル、例えばＬＥＤを内蔵し、表面を光透過性のシートで構成した表示パネルの連結構造、表示パネルと通常のパネルの連結構造にも同様に適用できる。
【符号の説明】
【００２４】
１０      第１のパネル
１０Ａ      凹溝
１０Ｂ      磁石板
２０      第２のパネル
２０Ａ      凹溝
２０Ｂ      磁石板
３０      連結支柱
３０Ａ      前半部
３０Ｂ      後半部
３０Ｃ      長溝
３０Ｄ      磁石板
【図１】
0006431354.tif 000002
【図２】
0006431354.tif 000003
【図３】
0006431354.tif 000004
【図４】
0006431354.tif 000005